(57)【要約】【課題】異なるサイズの衛生薄葉紙が収納される際に、簡易な構成部材で衛生薄葉紙の位置がずれないよう調整可能なディスペンサー用のアタッチメントおよびディスペンサーを提供する。【解決手段】  衛生薄葉紙３を収納するディスペンサー用アタッチメント１であって、長手方向長さより長い１枚の樹脂板によって構成され、中央に設けられ衛生薄葉紙３を搭載する載置部１１と、載置部１１の両側に設けられ、載置部１１に搭載された衛生薄葉紙３の位置を規制する折り曲げ部１２とを備え、折り曲げ部１２は、樹脂板の第１面１ａ側からエンボス加工により形成される第１エンボス部１３ａと、第１面１ａの裏面の第２面１ｂ側からエンボス加工により形成される第２エンボス部１３ｂ、１３ｃとを有し、長手方向に対して付勢力を付与する。【選択図】図１
2016120930.tif 000002
【特許請求の範囲】
【請求項１】
衛生薄葉紙を収納するディスペンサー用アタッチメントであって、
長手方向長さより長い１枚の樹脂板によって構成され、
中央に設けられ前記衛生薄葉紙を搭載する載置部と、
前記載置部の両側に設けられ、前記載置部に搭載された前記衛生薄葉紙の位置を規制する折り曲げ部とを備え、
前記折り曲げ部は、前記樹脂板の第１面側からエンボス加工により形成される第１エンボス部と、前記第１面の裏面の第２面側からエンボス加工により形成される第２エンボス部とを有し、前記長手方向に対して付勢力を付与する、
ことを特徴とするディスペンサー用アタッチメント。
【請求項２】
前記樹脂板は、短手方向に設けられ、前記第１面側からエンボス加工により形成される第３エンボス部を有することを特徴とする請求項１に記載のディスペンサー用アタッチメント。
【請求項３】
厚さが０．５ｍｍ〜２．０ｍｍであって、前記樹脂板の厚さ方向に対して２０％〜８０％に範囲に前記エンボス加工がなされ、
前記折り曲げ部は、前記長手方向への付勢力を有することを特徴とする請求項１又は請求項２に記載のディスペンサー用アタッチメント。
【請求項４】
衛生薄葉紙を収納するディスペンサーであって、
少なくとも１面が開閉するフラップと、
フラップの先端に設けられ、内部へ差し込まれる差込部と、
請求項１〜請求項３のいずれか一項に記載のディスペンサー用アタッチメントと、を有し、
収納時、アタッチメントの下側に前記差込部が入り込むことを特徴とするディスペンサー。
【発明の詳細な説明】
【技術分野】
【０００１】
本発明は、ティシュペーパー、ペーパータオルなどの衛生薄葉紙を収納するディスペンサー用アタッチメントおよびアタッチメントを備えるディスペンサーに関する。
【背景技術】
【０００２】
ホテルや店舗などの商業施設で使用される紙箱入りティシュペーパーやペーパータオルなどを収納するディスペンサーにおいて、収納物である衛生薄葉紙にはそれぞれの製品特性によりサイズに違いがある。とりわけ、１枚のシート中の使用されない部分の無駄をなくすエコの観点とコストダウンの観点から、現行の衛生薄葉紙よりも小さいサイズで、かつ、簡易包装による衛生薄葉紙の需要が高まっている。しかし、現行のディスペンサーに適合するサイズと異なるサイズの衛生薄葉紙が格納される場合、ディスペンサー内部に空間が生じ衛生薄葉紙がディスペンサー内部で水平方向に移動してしまうため、ディスペンサーの取り出し口の位置と衛生薄葉紙の位置がずれて使いにくい場合がある。
【０００３】
このような問題点を解決する従来技術として特許文献１に記載のディスペンサーが提案されている。特許文献１のディスペンサー５１では、図５に示すように、ディスペンサーの広幅方向の両側面の内側面に位置調整用の部材５２を設けることで位置ずれを解消している。
【先行技術文献】
【特許文献】
【０００４】
【特許文献１】特開２００６−０２７６９４号公報
【発明の概要】
【発明が解決しようとする課題】
【０００５】
しかしながら、特許文献１のディスペンサーでは、位置調整用の部材５２を予めディスペンサー５１の広幅方向の両側面の内側面に設けるため、さらにサイズが異なる薄葉紙を収納する場合には、位置調整用の部材をその都度適当な大きさのものに取り替える必要があった。
【０００６】
そこで、本発明は、かかる点に鑑みてなされたものであり、異なるサイズの衛生薄葉紙が収納される際に、簡易な構成部材で衛生薄葉紙の位置がずれないよう調整可能なディスペンサー用のアタッチメントおよびディスペンサーを提供することを目的とする。
【課題を解決するための手段】
【０００７】
上記課題を解決するために、（１）本発明は、衛生薄葉紙を収納するディスペンサー用アタッチメントであって、長手方向長さより長い１枚の樹脂板によって構成され、中央に設けられ前記衛生薄葉紙を搭載する載置部と、前記載置部の両側に設けられ、前記載置部に搭載された前記衛生薄葉紙の位置を規制する折り曲げ部とを備え、前記折り曲げ部は、前記樹脂板の第１面側からエンボス加工により形成される第１エンボス部と、前記第１面の裏面の第２面側からエンボス加工により形成される第２エンボス部とを有し、前記長手方向に対して付勢力を付与するディスペンサー用アタッチメントを提供する。
【０００８】
（２）前記樹脂板は、短手方向に設けられ、前記第１面側からエンボス加工により形成される第３エンボス部を有することを特徴とする（１）に記載のディスペンサー用アタッチメントを提供する。
（３）厚さが０．５ｍｍ〜２．０ｍｍであって、前記樹脂板の厚さ方向に対して２０％〜８０％に範囲に前記エンボス加工がなされる（１）又は（２）に記載のディスペンサー用アタッチメントを提供する。
【０００９】
（４）本発明は、衛生薄葉紙を収納するディスペンサーであって、少なくとも１面が開閉するフラップと、フラップの先端に設けられ、内部へ差し込まれる差込部と、（１）〜（３）のいずれか一に記載のディスペンサー用アタッチメントと、を有し、収納時、アタッチメントの下側に前記差込部が入り込むよう構成されているディスペンサーを提供する。
【発明の効果】
【００１０】
本発明によれば、異なるサイズの衛生薄葉紙が収納される際に、簡易な構成部材で衛生薄葉紙の位置がずれないよう調整可能なディスペンサー用のアタッチメントおよびディスペンサーを提供できる。
【図面の簡単な説明】
【００１１】
【図１】（ａ）は本発明の実施形態にかかるアタッチメントの概要を示す斜視図、（ｂ）および（ｃ）は本発明のアタッチメントの使用方法を示す説明図である。
【図２】（ａ）は本発明の実施形態にかかるアタッチメントの展開図、（ｂ）は（ａ）におけるＹ−Ｙ断面図である。
【図３】図１（ｃ）に示す吸収性物品におけるＸ−Ｘ断面図である。
【図４】（ａ）ないし（ｃ）は本発明の実施形態にかかるアタッチメントの変形例を示す平面図である。
【図５】従来技術を示す図である。
【発明を実施するための形態】
【００１２】
本発明の吸収性物品の好ましい実施の形態（以下、実施形態という）を、以下に詳細に説明する。実施形態の説明の全体を通して同じ要素には同じ番号を付している。
【００１３】
まず、本発明におけるアタッチメントの一実施形態について、図１ないし図３に基づいて説明する。
【００１４】
図１（ａ）は本発明の実施形態にかかるアタッチメントの概要を示す斜視図、（ｂ）および（ｃ）は本発明のアタッチメントの使用方法を示す説明図である。
図１（ａ）（ｂ）に示すように、本発明の実施形態に係るアタッチメント１は、衛生薄葉紙３を載置部１１に搭載し、ディスペンサー２内に装着して使用するものである。ディスペンサー２は、少なくとも１面が開閉するフラップ２ａと、フラップ２ａの先端に設けられ、内部へ差し込まれる差込部２ｂとを有し、収納時、アタッチメント１の下側に差込部２ｂが入り込むよう構成されている。アタッチメント１の下側に差込部２ｂが入り込むことによってアタッチメント１を固定することができる。
【００１５】
アタッチメント１は、長手方向長さより長い１枚の樹脂板によって構成され、載置部１１と折り曲げ部１２を備える。載置部１１は、アタッチメント１の中央に設けられ、衛生薄葉紙を搭載する。折り曲げ部１２は、載置部１１の両側に設けられ、載置部１１に搭載された衛生薄葉紙３の位置を規制するものである。
【００１６】
アタッチメント１を構成する樹脂板は、アクリル樹脂、ABS樹脂、ポリプロピレン、ポリエチレン、ポリカーボネードなどの素材によって構成されている。
アクリル樹脂は、透明性も高く、熱加工も容易で、優れた耐衝撃性を示し、さらに耐候性が高い。ABS樹脂は、剛性、硬度、加工性、耐衝撃性、曲げ疲労性等バランスに優れるが、耐候性の点でやや劣る。ポリエチレン及びポリプロピレンは、他の樹脂に比べ比重が軽いが強度は高い。ポリカーカーボネートは、透明性・耐衝撃性・耐熱性・難燃性などにおいて、高い物性を示す。
アタッチメント１は、厚さが０．５ｍｍ〜１．８ｍｍの範囲であるの好ましく、特には１．０ｍｍ〜１．５ｍｍの範囲が好ましい。厚みが２．０を超えると折り曲げ部１２が固くなりすぎで、収納時に上手く折り曲げることができなくなってしまう。
また、折り曲げ部１２は、長手方向への付勢力を有しており、付勢力を制限することによって、ディスペンサー２の側壁を強く押すことによってフラップ２ａが開いてしまうことを防ぐことができる。
【００１７】
図２（ａ）は本発明の実施形態にかかるアタッチメントの展開図、（ｂ）は（ａ）におけるＹ−Ｙ断面図である。図２に示すように、アタッチメント１は、１枚の樹脂版から打ち抜き加工により形成する。打ち抜き加工を用いると、アタッチメント１の製造が容易であるとともに、ディスペンサー２や衛生薄葉紙３の大きさの変動によってアタッチメントの設計を変更することが鋳型による樹脂成型に比べて容易であり、コストも抑えることができる。形成したアタッチメント１にエンボス加工を施し、折り曲げて載置部１１と折り曲げ部１２を形成する。図２（ｂ）に示すように、折り曲げ部１２は、樹脂板の第１面１ａ側からエンボス加工により形成される第１エンボス部１３ａと、第１面１ａの裏面の第２面側１ｂからエンボス加工により形成される第２エンボス部１３ｂ、１３ｃとを有し、長手方向に対して付勢力ｆを付与する（図３参照）。
【００１８】
エンボス加工は、熱エンボス、超音波エンボス、加熱流体噴射処理等の方法によって折り曲げ線を形成する加工であって、折り曲げやすさと強度の観点から樹脂板の厚さの２０％〜８０％の範囲に施すことが好ましい。なお、図２では長手方向の両端部にそれぞれ第１面１ａに１本の第１エンボス部１３ａ、裏面側の第２面１ｂに２本の第２エンボス部１３ｂ、１３ｃが形成されているが、構成はこれに限定するものではない。
また、第１面側１ａからエンボス加工する場合に、裏面側の第２面１ｂから第１エンボス部１３ａと対向する位置にエンボス加工を施してもよく、第２面側１ｂからエンボス加工する場合に、裏面側の第１面１ａからの第２エンボス部１３ｂ、１３ｃと対向する位置にエンボス加工を施してもよい。第１面側１ａ、第２面１ｂの両面からエンボス加工することによって折り曲げやすさが向上する。
【００１９】
図３は、図１（ｃ）のＸ−Ｘ線における断面図である。
載置部１１は、アタッチメント１の中央に衛生薄葉紙３を搭載させるため、衛生薄葉紙３の長手方向長さに合わせた長さを有する。
【００２０】
折り曲げ部１２は、衛生薄葉紙３が積層された高さ方向に立つ第一部分１２ａと、ディスペンサー２の対向する側壁にアタッチメント１の両端部が押し当たるように延在する第二部分１２ｂを有する。アタッチメント１の着脱時に作業者の指を引っ掛けやすくするため第一部分１２ａと第二部分１２ｂとの間に第３部分１２ｃを設けても良い。
【００２１】
衛生薄葉紙３をディスペンサー２の取り出し口の位置に合わせるためには、衛生薄葉紙３が長手方向へ水平移動することを規制する必要がある。樹脂板の最も内側にある第１エンボス部１３ａについて、第１面１ａからのエンボス加工することによって第一部分１２ａが衛生薄葉紙３の積層する高さ方向へ外側に傾斜する壁のように立つ。これにより、第一部分１２ａによって衛生薄葉紙３の位置を規制することができる。
【００２２】
また、樹脂板の最も外側にある第２エンボス部１３ｃについて、第２面１ｂ側からエンボス加工することによって第二部分１２ｂを形成する。エンボス加工によって形成されたエンボス部は、樹脂版が平らに戻ろうとする力によって図３中の矢印であらわすように外側方向への付勢力Ｆを与える。この構成によりアタッチメント１をディスペンサー２内部で保持することができる。
【００２３】
次に、本発明の実施形態に係るアタッチメントの変形例について説明する。図４は、（ａ）ないし（ｃ）は本発明の実施形態にかかるアタッチメントの変形例を示す平面図である。
図４（ａ）のように樹脂板の短手方向の両端部には、第１面１ａ側からエンボス加工により形成される第３エンボス部１３ｄを有する。第３エンボス部１３ｄは、衛生薄葉紙を載置する第１面１ａ側からのエンボス加工にすることよって積層する衛生薄葉紙の高さに沿う壁のように立ち、衛生薄葉紙３が幅方向への水平移動を規制することができる。
【００２４】
図４（ｂ）のように幅方向の両端部の半円形の切れ込み１４と第３エンボス部１３ｅを形成する。図４（ｂ）中では幅方向の両端部にそれぞれ１つずつ半円形の切れ込み１４および第３エンボス部１３ｅが形成されているが、切れ込みが立ち上がって衛生薄葉紙３が幅方向への水平移動を規制することができれば、形状、大きさ、個数に特に限定しない。
【００２５】
図４（ｃ）のように載置部１１の幅方向長さをディスペンサー２の幅方向より長い延出部３１、３２を形成し、衛生薄葉紙３の幅方向長さにあわせて幅方向の両端部に第３エンボス部１３ｆを設けるようにしてもよい。第３エンボス部１３ｆは、衛生薄葉紙３を載置する第１面１ａ側からのエンボス加工にすることよって積層する衛生薄葉紙３の高さに沿う壁のように立ち、衛生薄葉紙３が幅方向への水平移動を規制するとともに、短手方向に対して付勢力を付与することができ、立ち上がった壁がディスペンサー２の内壁に押し当たることによってアタッチメント１が幅方向への水平移動を規制することができる。
【００２６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００２７】
１  アタッチメント
２  ディスペンサー
２ａ  フラップ
２ｂ  差込部
３  衛生薄葉紙
１１  載置部
１２  折り曲げ部
１２ａ  第一部分
１２ｂ  第二部分
１３ａ  第１エンボス部
１３ｂ  第２エンボス部
１４  切れ込み
【図１】
2016120930.tif 000003
【図２】
2016120930.tif 000004
【図３】
2016120930.tif 000005
【図４】
2016120930.tif 000006
【図５】
2016120930.tif 000007